(57)【特許請求の範囲】
【請求項１】
ケーシング内に格納されて空気中の粒子を集塵する捕集部の把手金具の取付構造において、
前記把手金具は、把持可能な把持部及び該把持部から延設される連結部が略コ字状をなすと共に前記連結部の端部に前記把持部の長手方向に沿った方向に屈曲して設けられた軸部を有し且つ前記連結部が前記把持部に直交する方向に屈曲しており、
前記把手金具の前記軸部を軸受け部により前記捕集部に回動自在に保持すると共に、当該捕集部を前記ケーシングに装着する際に前記連結部に当接して当該連結部及び前記把持部を前記捕集部の隣接する二面に沿って略密着させる当接突起部を前記ケーシングに設けたことを特徴とする捕集部用把手金具の取付構造。
【請求項２】
請求項１において、前記軸部の一方が他方より長い長尺軸部であり、該長尺軸部を支持する前記軸受け部は当該長尺軸部を貫通孔で支持する貫通軸受け部であり、且つ該貫通軸受け部の外側には前記貫通孔を貫通した前記長尺軸部の端面に係脱自在に係合するストッパが設けられていることを特徴とする捕集部用把手金具の取付構造。
【請求項３】
請求項２において、前記当接突起部が前記長尺軸部に連続する前記連結部に当接する位置に設けられていることを特徴とする捕集部用把手金具の取付構造。
【請求項４】
請求項１〜３の何れかにおいて、前記捕集部の側壁にはそれぞれ第１及び第２の係止突起が設けられると共に前記ケーシングには前記第１及び第２の係止突起に係合する係止溝が設けられ、前記捕集部は前記第１の係止突起を前記第１の係止溝に係合させた状態で回動することにより前記第２の係止突起が前記第２の係止溝内に設けられた固定ばねにより固定され且つ同時に前記当接突起部が前記把手金具に当接して前記連結部及び前記把持部を前記捕集部の隣接する二面に沿って略密着させることを特徴とする捕集部用把手金具の取付構造。
【請求項５】
請求項４において、前記ケーシングに装着された前記捕集部の前記把手金具を起こすことにより前記第２の係止突起が前記固定ばねから脱離することを特徴とする捕集部用把手金具の取付構造。
【請求項６】
空気中の粒子を捕集する捕集部と、前記捕集部を格納すると共に開口部を有するケーシングとを具備する空気清浄装置において、
前記捕集部には、把持可能な把持部及び該把持部から延設される連結部が略コ字状をなすと共に前記連結部の端部に前記把持部の長手方向に沿った方向に屈曲して設けられた軸部を有し且つ前記連結部が前記把持部に直交する方向に屈曲した把手金具が、前記軸部回動自在に支持する軸受け部を介して設けられ、一方、前記ケーシングには前記捕集部の装着の際に前記連結部に当接して当該連結部及び前記把持部を前記捕集部の隣接する二面に沿って略密着させる当接突起部を設けたことを特徴とする空気清浄装置。
【請求項７】
請求項６において、前記軸部の一方が他方より長い長尺軸部であり、該長尺軸部を支持する前記軸受け部は当該長尺軸部を貫通孔で支持する貫通軸受け部であり、且つ該貫通軸受け部の外側には前記貫通孔を貫通した前記長尺軸部の端面に係脱自在に係合するストッパが設けられていることを特徴とする空気清浄装置。
【請求項８】
請求項６又は７において、前記捕集部の側壁にはそれぞれ第１及び第２の係止突起が設けられると共に前記ケーシングには前記第１及び第２の係止突起に係合する係止溝が設けられ、前記捕集部は前記第１の係止突起を前記第１の係止溝に係合させた状態で回動することにより前記第２の係止突起が前記第２の係止溝内に設けられた固定ばねにより固定され且つ同時に前記当接突起部が前記把手金具の前記連結部に当接して当該連結部及び前記把持部を前記捕集部の隣接する二面に沿って略密着させることを特徴とする空気清浄装置。
【発明の詳細な説明】
【０００１】
【発明の属する技術分野】
本発明は、空気中に浮遊する塵埃、細菌、臭気成分等の粒子を電気的に、濾過により、又はイオン化して集塵する捕集部に用いる捕集部用把手金具取付構造及び空気清浄装置に関するものである。
【０００２】
【従来の技術】
この種の空気清浄装置としては、例えば、実公平４−０５０９０１号に開示されたものがあり、図２０はその正面図、図２１は分解斜視図、図２２は帯電捕集部の取付け状態を説明する断面図である。
【０００３】
これらの図面に示すように、この空気清浄装置０１は、全体が略直方体形状であり、前面が開口部となるケーシング０２と、ケーシング０２の開口部を開閉する蓋体０３とを具備する。蓋体０３には吸込口０４が形成され、ケーシング０２の上部には吐出口０５が形成されている。ケーシング０２の内部にはファン０６が設けられ、その前方には含塵空気をイオン化する荷電部０７と該荷電部０７の下流側に接合して当該荷電部０７でイオン化された塵埃を捕集する集塵部０８とが一体となった帯電捕集部０９が内蔵されている。
【０００４】
ここで、帯電捕集部０９の両側面には、下部に設けられた第１の係止突起０１０と、上部に設けられた第２の係止突起０１１とが設けられている。一方、ケーシング０２の開口部内の側壁には、第１の係止突起０１０を受ける縦長の第１の係止溝０１２と、第２の係止突起０１１が挿入される第２の係止溝０１３とが設けられている。帯電捕集部０９を装着する場合には、その下部の第１の係止突起０１０を第１の係止溝０１２の上部開口から挿入して突起受止部０１２ａに保持し、次いで、帯電捕集部０９を回動させ、第２の係止突起０１１を第２の係止溝０１３に挿入する。第２の係止溝０１３内には、固定用板ばね０１４が設けられており、第２の係止溝０１３内に設けられた保持凸部０１３ａと固定用板ばね０１４とで第２の係止突起０１１を保持固定するようにする。
【０００５】
また、帯電捕集部０９には、把手金具０１５が設けられている。かかる把手金具０１５は、図２３に示すように、帯電捕集部０９をケーシング０２内へ格納したり、取り出したりする際に、手で握ることができる把持部０１５ａと、その両側に突出した軸部０１５ｂとを有し、軸部０１５ｂを軸受け部品０１６で枢着したものである。
【０００６】
【発明が解決しようとする課題】
しかしながら、従来の把手金具０１５は、軸受け部品０１６で取り付けるのに、手間がかかるいう問題がある。
【０００７】
また、このような取付作業を容易にするものとして、実公平２−３３８８０号公報に開示されたものがある。この把手金具の平面図及び底面図を図２４に示す。同図に示すように、把手部０１５ａに、軸部０１５ｂの端部間の寸法が狭くなるような屈曲部０１５ｄを形成し、軸部０１５ｂを帯電捕集部０９に取り付けられた軸受け部品０１６に挿入した状態で、屈曲部０１５ｄを真っ直ぐに伸ばすようにして取付作業を簡素化しようとするものである。しかしながら、この場合にも、プライヤ等の工具での作業が必要となる。
【０００８】
また、帯電捕集部０９をケーシング０２に装着した場合に省スペース化を図るために、把手金具０１５を帯電捕集部０９に沿って寝かせた状態で固定できるような係止部を設ける構造が知られているが、上述した軸受け金具０１６とのクリアランス及び把手金具０１５自体の曲げ加工誤差等があるので、正確な位置合わせができず、良好に固定できなかったり、必要なときに係合が解除できなかったりするという問題がある。一方、把手金具０１５の把持を容易にするために、プラスチックなどでケーシング０２に把持部を一体的に成形することも考えられるが、この場合には把持部が突出してしまうので、空気清浄装置内の省スペース化を図ることができないという問題がある。
【０００９】
本発明はこのような事情に鑑み、取付けが容易で、製造コストの低下及び省スペース化を図ることができ、且つ使用時に使用し易い把手金具の取付構造及び空気清浄装置を提供することを課題とする。
【００１０】
【課題を解決するための手段】
前記課題を解決する本発明の第１の態様は、ケーシング内に格納されて空気中の粒子を集塵する捕集部の把手金具の取付構造において、前記把手金具は、把持可能な把持部及び該把持部から延設される連結部が略コ字状をなすと共に前記連結部の端部に前記把持部の長手方向に沿った方向に屈曲して設けられた軸部を有し且つ前記連結部が前記把持部に直交する方向に屈曲しており、前記把手金具の前記軸部を軸受け部により前記捕集部に回動自在に保持すると共に、当該捕集部を前記ケーシングに装着する際に前記連結部に当接して当該連結部及び前記把持部を前記捕集部の隣接する二面に沿って略密着させる当接突起部を前記ケーシングに設けたことを特徴とする把手金具の取付構造にある。
【００１１】
かかる第１の態様では、把手金具は、取っ手として容易に使用でき、且つ捕集部の装着時には外壁に沿って自動的に格納される。
【００１２】
本発明の第２の態様は、第１の態様において、前記軸部の一方が他方より長い長尺軸部であり、該長尺軸部を支持する前記軸受け部は当該長尺軸部を貫通孔で支持する貫通軸受け部であり、且つ該貫通軸受け部の外側には前記貫通孔を貫通した前記長尺軸部の端面に係脱自在に係合するストッパが設けられていることを特徴とする把手金具の取付構造にある。
【００１３】
かかる第２の態様では、把手金具の取付取り外しが容易である。
【００１４】
本発明の第３の態様は、第２の態様において、前記当接突起部が前記長尺軸部に連続する前記連結部に当接する位置に設けられていることを特徴とする把手金具の取付構造にある。
【００１５】
かかる第３の態様は、当接突起部を幅広に設けても軸受け部との干渉がさけられる。
【００１６】
本発明の第４の態様は、第１〜３の何れかの態様において、前記捕集部の側壁にはそれぞれ第１及び第２の係止突起が設けられると共に前記ケーシングには前記第１及び第２の係止突起に係合する係止溝が設けられ、前記捕集部は前記第１の係止突起を前記第１の係止溝に係合させた状態で回動することにより前記第２の係止突起が前記第２の係止溝内に設けられた固定ばねにより固定され且つ同時に前記当接突起部が前記把手金具に当接して前記連結部及び前記把持部を前記捕集部の隣接する二面に沿って略密着させることを特徴とする捕集部用把手金具の取付構造にある。
【００１７】
かかる第４の態様では、捕集部を装着する際に、捕集部の第２の係止突起が固定ばねに固定される際に、自動的に把手金具が外壁に沿って格納される。
【００１８】
本発明の第５の態様は、第４の態様において、前記ケーシングに装着された前記捕集部の前記把手金具を起こすことにより前記第２の係止突起が前記固定ばねから脱離することを特徴とする捕集部用把手金具の取付構造にある。
【００１９】
かかる第５の態様は、把手金具を起こすことにより、当接突起部と連結部との当接部を支点としたてこの原理により、第２の係止突起の固定ばねとの係合が解除される。
【００２０】
本発明の第６の態様は、空気中の粒子を捕集する捕集部と、前記捕集部を格納すると共に開口部を有するケーシングとを具備する空気清浄装置において、前記捕集部には、把持可能な把持部及び該把持部から延設される連結部が略コ字状をなすと共に前記連結部の端部に前記把持部の長手方向に沿った方向に屈曲して設けられた軸部を有し且つ前記連結部が前記把持部に直交する方向に屈曲した把手金具が、前記軸部回動自在に支持する軸受け部を介して設けられ、一方、前記ケーシングには前記捕集部の装着の際に前記連結部に当接して当該連結部及び前記把持部を前記捕集部の隣接する二面に沿って略密着させる当接突起部を設けたことを特徴とする空気清浄装置にある。
【００２１】
かかる第６の態様では、捕集部の把手金具は、取っ手として容易に使用でき、且つ捕集部の装着時には外壁に沿って自動的に格納される。
【００２２】
本発明の第７の態様は、第６の態様において、前記軸部の一方が他方より長い長尺軸部であり、該長尺軸部を支持する前記軸受け部は当該長尺軸部を貫通孔で支持する貫通軸受け部であり、且つ該貫通軸受け部の外側には前記貫通孔を貫通した前記長尺軸部の端面に係脱自在に係合するストッパが設けられていることを特徴とする空気清浄装置にある。
【００２３】
かかる第７の態様は、把手金具の取り付け取り外しが容易である。
【００２４】
本発明の第８の態様は、第６又は７の態様において、前記捕集部の側壁にはそれぞれ第１及び第２の係止突起が設けられると共に前記ケーシングには前記第１及び第２の係止突起に係合する係止溝が設けられ、前記捕集部は前記第１の係止突起を前記第１の係止溝に係合させた状態で回動することにより前記第２の係止突起が前記第２の係止溝内に設けられた固定ばねにより固定され且つ同時に前記当接突起部が前記把手金具の前記連結部に当接して当該連結部及び前記把持部を前記捕集部の隣接する二面に沿って略密着させることを特徴とする空気清浄装置にある。
【００２５】
かかる第８の態様は、捕集部を装着する際に、捕集部の第２の係止突起が固定ばねに固定される際に、自動的に把手金具が外壁に沿って格納される。
【００２６】
【発明の実施の形態】
本発明を一実施形態に基づいて詳細に説明する。
【００２７】
図１は一実施形態の空気清浄装置の分解斜視図、図２はその横断面図、図３は装置本体の正面図、図４はそのＡ−Ａ線矢視断面図である。
【００２８】
これらの図面に示すように、空気清浄装置１は、全体として略かまぼこ状の形状を有し、前面に開口部を有する装置本体１０と、装置本体１０に着脱自在に装着されるカートリッジタイプの帯電捕集部３０と、装置本体１０の開口部を開閉する横断面が略円弧状の蓋体５０とを具備する。
【００２９】
装置本体１０の全体形状を画成する全体としてかまぼこ形状のケーシング１１は、前面に開口部１２を有する。また、ケーシング１１の開口部１２の内方に図示しない駆動モータを含むファン１３（本実施形態では、クロスフローファンを使用）が設けられ、ケーシング１１の図中上部には吐出口１４が形成されている。さらに、開口部１２内には、後述する帯電捕集部３０のアイオナイザ及びコレクタに電圧を供給するための三つの接点ばね１５が設けられており、ケーシング１１内にはこれら接点ばね１５に接続される図示しない電圧印加手段が内蔵されている。
【００３０】
また、ケーシング１１の開口部１２内の幅方向（図３で左右方向）両側壁には、帯電捕集部３０を装着保持するための第１の係止溝１６及び第２の係止溝１７が設けられ、第２の係止溝１７内には、装着された帯電捕集部３０を保持するための固定ばね１８が設けられている。さらに、開口部１２の図中下部の幅方向両側には、蓋体５０を装着するための装着溝１９が設けられている。装着溝１９の図中下部には蓋体５０を回転自在に支持する支持バー２０が設けられており、装着溝１９内の幅方向外側の側壁には、二本の係止突条２１が設けられている。また、開口部１２の図中上部の幅方向両側、第２の係止溝１７の外側には、蓋体５０を係合保持するための係止孔２２が設けられている。さらに、開口部１２の上部周縁部には後述する把手金具３５に当接して当該把手金具３５を回動させて格納するための当接突起２５が設けられている。
【００３１】
一方、帯電捕集部３０は、全体として略かまぼこ形状をなしてケーシング１１の開口部１２内にファン１３を囲むように装着できる形状を有する。詳細は省略するが、湾曲した前面には吸込口３１を有し、その内方には、順次、プレフィルタ、帯電部であるアイオナイザ、及び捕集部であるコレクタが内蔵され、さらに、裏面側にはオゾン分解タイプの脱臭フィルタが取り付けられている。従って、吸込口３１から含塵空気等を送り込むと、塵埃が除去された清浄空気が裏面側から吐出するようになっている。また、図示は省略するが、帯電捕集部３０の外周面には、上述したアイオナイザ及びコレクタと、装置本体１０の電極１５との接続を図るための接点部が設けられている。さらに、帯電捕集部３０の両側壁には、ケーシング１１の開口部１２内に装着するための第１の係止突起３２及び第２の係止突起３３が突設されている。
【００３２】
ここで、アイオナイザ及びコレクタは、放電電極部材、対向電極部材及び高圧電極部材の組み合わせにより形成し、対向電極部材は体積固有抵抗値が１０７Ωｃｍ以下の導電性樹脂材料で形成し、高圧電極部材は体積固有抵抗値が１０１０〜１０１３Ωｃｍの半導電性樹脂材料で形成するのが好ましい。この場合、アイオナイザは、放電電極部材と対向電極部材との組み合わせにより構成され、コレクタは、対向電極部材と高圧電極部材との組み合わせにより構成される。また、好適には、各放電電極部材、対向電極部材及び高圧電極部材は、それぞれの材料で、複数の略円弧状の櫛歯を有する形状に一体成形したものとし、これらを組み合わせることによりアイオナイザ及びコレクタを構成するようにするのが好ましい。
【００３３】
ここで、各対向電極部材及び高圧電極部材は、お互いが平行平板状であって、それぞれが平行且つ等間隔に交互に並ぶことが必要である。電気式集塵方式の場合は、対向電極部材と高圧電極部材は、集塵効率を確保するために電界の強度を均一に（気流の上流位置と下流位置での電極間距離を均一に）するために平行・等間隔であることが必要であり、また、通気抵抗の関係から本発明のようなクロスフローファンを用いた場合には、略円弧状の各電極板は、ファン１３の軸方向に対し直交するように配置すると都合がいい。これにより、各電極板間の空気流量を同じ程度にし、通気抵抗を少なくすると共に、各電極板の集塵性能を有効に使うことができる。
【００３４】
このように構成したアイオナイザ及びコレクタでは、アイオナイザにより荷電された粒子の中に導電性粉塵が混在していても、高圧電極部材の電荷の移動が半導電性樹脂材料の抵抗で制限されるため、集塵部の高圧電極部材と対向電極部材との間でのスパーク発生が防止できる。
【００３５】
また、帯電捕集部３０の裏面の一端には把手金具３５が取り付けられている。把手金具３５の詳細を、帯電捕集部３０の背面図である図５、側面図である図６、把手金具３５の取付状態を示す要部説明図である図７を参照しながら説明する。
【００３６】
把手金具３５は、人間の手で把持可能な幅の把持部３５ａを有し、把持部３５ａの長手方向両端には略直交する方向に屈曲して人間の手で把持部３５ａを把持できるような長さの第１の連結部３５ｂが設けられている。第１の連結部３５ｂの端部には当該第１の連結部３５ｂ及び把持部３５ａに直交し、把持部３５ａの長手方向とは一致しない第２の連結部３５ｃを有し、第２の連結部３５ｃには略直交方向に延びて把持部３５ａの長手方向に延びる軸部３５ｄ及び３５ｅが延設されている。ここで、一方の軸部３５ｄは、他方の軸部３５ｅより長くなっている。また、軸部３５ｄ及び３５ｅのそれぞれの先端部は、帯電捕集部３０の外郭に一体的に成形された貫通孔である軸受け部３７Ａ及び３７Ｂに枢着されている。このとき、軸部３５ｄ及び３５ｅの両端の幅は、軸受け部３７Ａ及び３７Ｂの外側の端部間の距離とほぼ一致するようになっている。また、一方の軸受け部３７Ａの外側には、ストッパ３８が設けられている。ストッパ３８は、同様に帯電捕集部３０の外郭に一体的に成形された弾性片であり、通常は先端部が軸受け部３７Ａの貫通孔を塞いでいるが、弾性変形することにより、軸部３５ｄが軸受け部Ａを貫通するのを許容するようになっている。
【００３７】
したがって、長い方の軸部３５ｄを軸受け部３７Ａに挿入し（図７（ａ））、さらにストッパ３８を弾性変形させて軸部３５ｄを奥まで挿入し（図７（ｂ））、その後、他方の軸部３５ｅを軸受け部３７Ｂに挿入すると、ストッパ３８は元に戻り、把手金具３５は、軸受け部３７Ｂに回動自在に装着される（図７（ｃ））。
【００３８】
また、このように装着された把手金具３５は、図８に示すように、把手金具３５を把持することにより、帯電捕集部３０全体を支えることができる強度を有する。さらに、かかる把手金具３５は、帯電捕集部３０をケーシング１１に装着した場合には、帯電捕集部３０の外壁に沿って格納されるようになっている。すなわち、図９に示すように、帯電捕集部３０をケーシング１１に装着した場合には、把手金具３５の把持部３５ａ及び第１の連結部３５ｂは、帯電捕集部３０の把手金具３５の取り付け部に隣接する上壁に沿って保持される。すなわち、第１の連結部３５ｂと軸部３５ｄ及び３５ｅとを連結する第２の連結部３５ｃの長さは、軸受け金具３７Ａ及び３７Ｂから裏面の端部までの距離とほぼ一致するように設定されている。なお、本実施形態では、このような把手金具３５の格納は、後述するように自動的に行えるようになっている。
【００３９】
この様子を図１０〜図１３を参照しながら説明する。
【００４０】
このような帯電捕集部３０を装置本体１０へ取付ける場合には、図１０に示すように、把手金具３５で帯電捕集部３０を下げた状態で、下端部からケーシング１１の開口部１２内に挿入し、まず、帯電捕集部３０の側壁下部の第１の係止突起３２を第１の係止溝１６の突起受け部１６ａまでに挿入する。さらに、突起受け部１６ａを中心として帯電捕集部３０を回動する（図２及び図１１参照）。これにより、第２の係止突起３３が第２の係止溝１７内に挿入され、このとき、把手金具３５の一方の第２の連結部３５ｃが当接突起２５に当接し始める（図１２）。さらに回動すると、第２の係止突起３３は、固定ばね１８を弾性変形させながら挿入されて固定ばね１８により固定保持され（図２参照）、把手金具３５の把持部３５ａ及び第１の連結部３５ｂは、連結部３５ｂに当接した当接突起２５により押さえ付けられることにより、帯電捕集部３０の上壁に密着した状態で格納される（図１３参照）。
【００４１】
ここで、長い軸部３５ｄに隣接する第２の連結部３５ｃと当接突起２５とは、両者が当接するように位置合わせされているが、かかる第１の連結部３５ｂは、軸受け部３７Ａから比較的離れた位置に存在するので、当接突起２５をある程度の幅にしても当接突起２５が軸受け部３７Ａに当接する事がなく、位置合わせが比較的容易である。
【００４２】
また、このように当接突起２５に第１の連結部３５ｂに当接した状態で帯電捕集部３０の第２の係止突起３３が固定ばね１８により固定保持されているので、図１４に示すように、把手金具３５を起こすと、てこの原理により、当接突起２５と第２の連結部３５ｃとの当接部を支点として帯電捕集部３０が回動し、第２の係止突起３３が固定ばね１８から解除される。したがって、帯電捕集部３０のケーシング１１からの脱離も比較的容易に行うことができる。
【００４３】
この際、把手金具３５を起こすことによる第２の係止突起３３の固定ばね１８からの解除は、当接突起２５が設けられている側の一方のみであり且つケーシング１１の中心から片寄った位置に設けられているので、例えば、天地逆の状態で高所に取り付けた場合にも、把手金具３５を起こしただけでは、帯電捕集部３０が脱落するようなこともない。すなわち、当接突起２５は一方側だけにあるので、把手金具３５を起こした場合、左右両側にある第２の係止突起３３のうち、当接突起２５側の一方の第２の係止突起３３のみが固定ばね１８による固定保持から解除され、他方の第２の係止突起３３は固定ばね１８により固定保持されたままであるので、脱落がなく、しかし、取り外しは軽い力でできる。なお、当接突起２５は、両方の第２の連結部３５ｃに当接するように設けてもよいが、上述した作用を得るためには一方のみで十分であり、むしろ、一方のみの方が安全性の面で優れている。
【００４４】
一方、蓋体５０は、ケーシング１１に対して着脱自在であり且つ開口部１２を開閉するもので、全面に帯電捕集部３０の吸込口３１と対向する吸込口５１が形成されている。蓋体５０の図中下部の幅方向両側には、ケーシング１１の支持バー２０を回転自在に把持する把持部５２が設けられている。また、把持部５２の近傍上側には、ケーシング１１の装着溝１９に挿入される薄板状のステー部５３が突設されており、ステー部５３の先端部外側には装着溝１９内の係止突条２１と係合可能な円柱状の係止凸部５４が設けられている。また、ステー部５３の外側には、係止凸部５４と係止突条２１との係止状態を解除するために当該ステー部５３を厚さ方向に弾性変形させる際に指置きの指標となる指置き部５５が設けられている。一方、蓋体５０の図中上部の裏面側には、ケーシング１１の係止孔２２に挿入されて係合する係止つめ５６が突設されている。従って、蓋体５０の着脱及び開閉する場合には、把持部５２に支持バー２０を挿入した状態で蓋体５０を回動すると、把持部５２は支持バー２０を回動自在に把持し、脱離できなくなる。この状態で、蓋体５０を閉める方向に回動すると、ステー部５３の係止凸部５４が一本目の係止突条２１に当接する。ここでステー部５３を内側に弾性変形させて係止凸部５４を一本目の係止突条２１を乗り越えさせると、係止凸部５４は、二本の突条２１の間に位置決めされ、この状態は保持される。また、この状態からステー部５３を内側に弾性変形させながら蓋体５０を閉方向に回動すると、係止凸部５４は二本目の係止突条２１を乗り越え、位置決め保持状態が解除される。
【００４５】
ここで、二本の係止突条２１のそれぞれの外側面は、高さが外側ほど低い傾斜面２１ａとなっており、内側は垂直面２１ｂとなっている。また、係止凸部５４は、蓋体５０の回動に伴って円弧状の軌跡を移動するので、円筒形状となっている。従って、係止凸部５４が係止突条２１間に入る方向への移動の場合には、円筒形状の係止凸部５４が傾斜面２１ａを容易に乗り越え可能であり、ステー部５３を必ずしも弾性変形させる必要はない。一方、係止凸部５４が係止突条２１間から抜け出す方向への移動は垂直面２１ｂにより規制され、ステー部５３を弾性変形することなしに位置決め保持状態を解除することはできず、この状態は確実に保持される。また、係止凸部５４が二本の係止突条２１を乗り越えた後は、蓋体５０が完全に閉じる状態まで自由に回動可能であり、係止つめ５６を係止孔２２（図３参照）に挿入し、蓋体５０の開閉端部、好適には両側の押圧部５７又はこの近傍を押すことにより、蓋体５０が湾曲方向に沿って僅かに弾性変形し、係止つめ５６が、係止孔２２に係合する。
【００４６】
以上説明した本実施形態の空気清浄装置は、略かまぼこ形状のケーシング１１内のデッドスペースを最大限に減少させてコンパクト化を図ると共に含塵空気等の吸込面積を最大限にでき且つ気流ロスを減少させることができるという効果を奏する。
【００４７】
また、特に、把手金具３５及び把手金具３５の取付構造に以下のような特長がある。
【００４８】
まず、把手金具３５の一方の軸部３５ｄを長くして軸受け部３７を貫通できるようにし且つ一方の軸受け部３７の外側にストッパ３８を設けているので、把手金具３５の取付が非常に容易となった。
【００４９】
また、把手金具３５の第２の連結部３５ｃに対向するケーシング１１に当接突起２５を設けることにより、帯電捕集部３０の装着の際に、第２の連結部３５ｃが当接突起２５に当接して把手金具３５が自動的に格納され、蓋体５０を閉める際の邪魔になることがない。一方、帯電捕集部３０を取り出す際には、把手金具３５を起こすことにより、第２の連結部３５ｃと当接突起２５との当接部を支点として帯電捕集部３０の第２の係止突起３３が固定ばね１８から解除されるので、取り出し作業が容易となる。なお、この際、当接突起２５と第２の連結部３５ｃとの当接を一方側のみとする事により、帯電捕集部３０の脱落等の虞がなく、しかし、片方が外れているので、取り外し易い。
【００５０】
このように、上述した実施形態の把手金具及びその取付構造は、帯電捕集部３０の装着時には余計なスペースを取らず、一方、使用時にも容易に把持することができ、帯電捕集部３０の取り外しの補助も行うという効果を奏する。
【００５１】
なお、比較のため、図１５に示すように、当接突起２５を排除して把手金具３５を帯電捕集部３０Ａの上壁に沿って保持する係止突起８１を設けたところ、把持部３５ａと係止突起８１との係合がうまくいかなかった。すなわち、両者の位置合わせが高精度に行えないので、両者が係合しなかったり、両者の係合がかたすぎて外れなかったりした。
【００５２】
また、比較のため、図１６に示すように、帯電捕集部３０Ｂの外殻に一体的に取っ手８３を設けたが、この場合、取っ手８３を収納するスペースをケーシング１１の開口部１２内に確保する必要があるため、帯電捕集部３０Ｂの本体の大きさが相対的に著しく小さくなる。このように帯電捕集部３０Ｂの大きさが小さくなると、極板、すなわち、極板面積が小さくなり、集塵面積が小さくなるから、集塵効率の低下は免れられない。従って、空気清浄装置としての性能低下をさけることができず、コンパクト化を目的とした空気清浄装置としては好ましくない。
【００５３】
以上説明した実施形態の空気清浄装置１は、例えば、図１７（ａ）に示すように、ロッカ１１１の上面１１１ａの空きスペースに安定設置でき、又は図１７（ｂ）に示すように、脚１ａを装着して起こし置きが可能であり、スペースの有効利用が可能となる。この場合、高めのロッカの上面に配置しても、安定性を確保できると共に、室内空気の流通を妨げることなく清浄空気を広い範囲に拡散させることができる。
【００５４】
また、図１８（ａ）に示すように、脚１ａを有する空気清浄装置１を床上に起こして置くこともでき、図１８（ｂ）に示すように幅方向一端部にフランジ１ｂを取り付けて縦置きもでき、図１８（ｃ）に示すように前面だけのフランジ１ｃを取り付けることにより室内のコーナ部に設置することもでき、また、図１８（ｄ）に示すようにタンス１１２の脇などの狭所に設置することができる。さらに、図１９（ａ）に示すように、例えば、窓１１３の上などに横向きに壁掛け設置することができ、図１９（ｂ）に示すように、窓１１３の脇に縦に壁掛け設置できる。なお、図１９（ａ）のように横向き設置する場合には、天地逆にも設置可能である。
【００５５】
本実施形態の空気清浄装置は、上述した何れの設置態様においても、蓋体５０の開閉動作及び帯電捕集部３０の着脱動作は、上述したように行うことができる。
【００５６】
【発明の効果】
以上説明したように本発明の把手金具及びその取付構造によると、把手金具の取付作業を大幅に低減できると共に製造コストの低減を図ることができ、しかも帯電捕集部の装着の際に自動的に格納され、また、帯電捕集部の取り外しの補助も行うという効果を奏するものである。
【図面の簡単な説明】
【図１】本発明の一実施形態の空気清浄装置の分解斜視図である。
【図２】本発明の一実施形態の空気清浄装置の横断面図である。
【図３】本発明の一実施形態の装置本体の正面図である。
【図４】本発明の一実施形態の装置本体のＡ−Ａ線矢視断面図である。
【図５】本発明の一実施形態の帯電捕集部の背面図である。
【図６】本発明の一実施形態の帯電捕集部の側面図である。
【図７】本発明の一実施形態の把手金具の取付の様子を示す説明図である。
【図８】本発明の一実施形態の把手金具の使用状態を示す側面図である。
【図９】本発明の一実施形態の空気清浄装置の使用状態を説明する斜視図である。
【図１０】本発明の一実施形態の空気清浄装置の格納状態を示す斜視図である。
【図１１】本発明の一実施形態の帯電捕集部の装着の様子を示す斜視図である。
【図１２】本発明の一実施形態の帯電捕集部の装着の様子を示す断面図である。
【図１３】本発明の一実施形態の帯電捕集部の装着の様子を示す断面図である。
【図１４】本発明の一実施形態の帯電捕集部の取り外しの様子を示す断面図である。
【図１５】本発明の比較例に係る空気清浄装置を示す断面図である。
【図１６】本発明の他の比較例に係る空気清浄装置を示す断面図である。
【図１７】本発明の一実施形態の空気清浄装置の使用状態を説明する斜視図である。
【図１８】本発明の一実施形態の空気清浄装置の使用状態を説明する斜視図である。
【図１９】本発明の一実施形態の空気清浄装置の使用状態を説明する斜視図である。
【図２０】従来技術に係る空気清浄装置の正面図である。
【図２１】従来技術に係る空気清浄装置の分解斜視図である。
【図２２】従来技術に係る捕集部の取付状態を示す断面図である。
【図２３】従来技術に係る把手金具の取付状態を示す正面図である。
【図２４】従来技術に係る把手金具を示す平面図及び底面図である。
【符号の説明】
１  空気清浄装置
１０  装置本体
１１  ケーシング
１２  開口部
１３  ファン
１４  吐出口
１５  電極
１６  第１の係止溝
１７  第２の係止溝
１８  固定ばね
１９  装着溝
２０  支持バー
２１  係止突条
２２  係止孔
３０  帯電捕集部
３１  吸込口
３２  第１の係止突起
３３  第２の係止突起
３５  把手金具
３５ａ  把持部
３５ｂ  第１の連結部
３５ｃ  第２の連結部
３５ｄ，３５ｅ  軸部
３７Ａ，３７Ｂ  軸受け部
３８  ストッパ
５０  蓋体
５１  吸込口
５２  把持部
５３  ステー部
５４  係止凸部
【図１】
0003608960.tif 000002
【図２】
0003608960.tif 000003
【図３】
0003608960.tif 000004
【図４】
0003608960.tif 000005
【図５】
0003608960.tif 000006
【図６】
0003608960.tif 000007
【図７】
0003608960.tif 000008
【図８】
0003608960.tif 000009
【図９】
0003608960.tif 000010
【図１０】
0003608960.tif 000011
【図１１】
0003608960.tif 000012
【図１２】
0003608960.tif 000013
【図１３】
0003608960.tif 000014
【図１４】
0003608960.tif 000015
【図１５】
0003608960.tif 000016
【図１６】
0003608960.tif 000017
【図１７】
0003608960.tif 000018
【図１８】
0003608960.tif 000019
【図１９】
0003608960.tif 000020
【図２０】
0003608960.tif 000021
【図２１】
0003608960.tif 000022
【図２２】
0003608960.tif 000023
【図２３】
0003608960.tif 000024
【図２４】
0003608960.tif 000025